(57)【要約】【課題】  電気機器や電子機器を遠隔操作するためのリモコンシステムであって、操作対象機器の表示装置において、リモコン装置による操作に応じた表示を行うことにより、ユーザが視覚的にリモコン操作を行うのを可能にするリモコンシステム、リモコン装置及び表示装置を提供する。【解決手段】  表示部を備えた機器と、前記機器を遠隔操作するリモコン装置とを含んだリモコンシステムであって、前記表示部において、前記リモコン装置の操作ボタンの一部又は全部と、前記機器において利用可能な機能又はサービスの一部又は全部とを表示する第１の手段と、前記リモコン装置により、前記表示部に表示された１の操作ボタンと１以上の機能又はサービスとを関連付ける操作を行わせる第２の手段と、を有するリモコンシステム。【選択図】  図８
2005142675.tif 000002
【特許請求の範囲】
【請求項１】
表示部を備えた機器と、前記機器を遠隔操作するリモコン装置とを含んだリモコンシステムであって、
前記表示部において、前記リモコン装置の操作ボタンの一部又は全部と、前記機器において利用可能な機能又はサービスの一部又は全部とを表示する第１の手段と、
前記リモコン装置により、前記表示部に表示された１の操作ボタンと１以上の機能又はサービスとを関連付ける操作を行わせる第２の手段と、
を有するリモコンシステム。
【請求項２】
前記第２の手段は、前記リモコン装置により、前記表示部において、１の操作ボタンを選択した後、１以上の機能又はサービスを選択する操作が行われたときに、選択された操作ボタンと機能又はサービスとを関連付けることを特徴とする請求項１に記載のリモコンシステム。
【請求項３】
前記第２の手段は、前記リモコン装置により、前記表示部において、１以上の機能又はサービスを選択した後、１の操作ボタンを選択する操作が行われたときに、選択された操作ボタンと機能又はサービスとを関連付けることを特徴とする請求項１に記載のリモコンシステム。
【請求項４】
前記機器は、前記表示部において、前記リモコン装置により操作可能なカーソルを表示する手段をさらに有しており、
前記第２の手段は、前記リモコン装置により前記表示部上のカーソルを操作して、１の機能又はサービスを１の操作ボタン上にドラッグアンドドロップする操作が行われたときに、当該操作ボタンと当該機能又はサービスとを関連付けることを特徴とする請求項１に記載のリモコンシステム。
【請求項５】
前記機器は、前記表示部において、前記リモコン装置により操作可能なカーソルを表示する手段をさらに有しており、
前記第２の手段は、前記リモコン装置により前記表示部上のカーソルを操作して、１の操作ボタンを１の機能又はサービス上にドラッグアンドドロップする操作が行われたときに、当該操作ボタンと当該機能又はサービスとを関連付けることを特徴とする請求項１に記載のリモコンシステム。
【請求項６】
前記第１の手段は、前記各操作ボタンに表示領域を付随させて表示し、前記第２の手段により、操作ボタンと機能又はサービスとが関連付けられると、当該操作ボタンに付随する表示領域に当該機能又はサービスを表示することを特徴とする請求項１から５のいずれか１項に記載のリモコンシステム。
【請求項７】
前記第１の手段は、前記表示部において、前記機能又はサービスそれぞれの名称、あるいは前記機能又はサービスそれぞれを示す画像を表示することを特徴とする請求項１から６のいずれか１項に記載のリモコンシステム。
【請求項８】
前記機器はテレビジョン受像機であり、
前記第１の手段は、前記表示部において、前記リモコン装置の操作ボタンの一部又は全部と、前記テレビジョン受像機において利用可能な機能又は視聴可能な放送チャンネルの一部又は全部とを表示することを特徴とする請求項１から７のいずれか１項に記載のリモコンシステム。
【請求項９】
前記第１の手段は、前記テレビジョン受像機の表示部においてＯＳＤ表示をすることを特徴とする請求項８に記載のリモコンシステム。
【請求項１０】
前記第１の手段は、前記表示部において、前記テレビジョン受像機において視聴可能な映像・音声コンテンツをさらに表示することを特徴とする請求項８又は９に記載のリモコンシステム。
【請求項１１】
請求項１から１０のいずれか１項に記載のリモコンシステムにおいて用いるリモコン装置。
【請求項１２】
リモコン装置及び該リモコン装置の操作対象機器と通信可能な表示装置であって、
前記リモコン装置の操作ボタンの一部又は全部と、前記操作対象機器において利用可能な機能又はサービスの一部又は全部とを表示する表示部と、
前記リモコン装置により、前記表示部に表示された１の操作ボタンと１以上の機能又はサービスとを関連付ける操作を行わせる登録手段と、
備えた表示装置。
【請求項１３】
前記登録手段は、前記リモコン装置により、前記表示部において、１の操作ボタンを選択した後、１以上の機能又はサービスを選択する操作が行われたときに、選択された操作ボタンと機能又はサービスとを関連付けることを特徴とする請求項１２に記載の表示装置。
【請求項１４】
前記登録手段は、前記リモコン装置により、前記表示部において、１以上の機能又はサービスを選択した後、１の操作ボタンを選択する操作が行われたときに、選択された操作ボタンと機能又はサービスとを関連付けることを特徴とする請求項１２に記載の表示装置。
【請求項１５】
前記表示装置は、前記表示部において、前記リモコン装置により操作可能なカーソルを表示する手段をさらに有しており、
前記登録手段は、前記リモコン装置により前記表示部上のカーソルを操作して、１の機能又はサービスを１の操作ボタン上にドラッグアンドドロップする操作が行われたときに、当該操作ボタンと当該機能又はサービスとを関連付けることを特徴とする請求項１２に記載の表示装置。
【請求項１６】
前記表示装置は、前記表示部において、前記リモコン装置により操作可能なカーソルを表示する手段をさらに有しており、
前記登録手段は、前記リモコン装置により前記表示部上のカーソルを操作して、１の操作ボタンを１の機能又はサービス上にドラッグアンドドロップする操作が行われたときに、当該操作ボタンと当該機能又はサービスとを関連付けることを特徴とする請求項１２に記載の表示装置。
【請求項１７】
前記表示部は、前記各操作ボタンに表示領域を付随させて表示し、前記登録手段により、操作ボタンと機能又はサービスとが関連付けられると、当該操作ボタンに付随する表示領域に当該機能又はサービスを表示することを特徴とする請求項１２から１６のいずれか１項に記載の表示装置。
【請求項１８】
前記表示部は、前記機能又はサービスそれぞれの名称、あるいは前記機能又はサービスそれぞれを示す画像を表示することを特徴とする請求項１２から１７のいずれか１項に記載の表示装置。
【請求項１９】
前記表示装置はテレビジョン受像機であり、
前記表示部は、前記リモコン装置の操作ボタンの一部又は全部と、前記テレビジョン受像機において利用可能な機能又は視聴可能な放送チャンネルの一部又は全部とを表示することを特徴とする請求項１２から１８のいずれか１項に記載のリモコンシステム。
【請求項２０】
リモコン装置により操作可能であり表示部を備えた機器においてリモコン装置の設定を行う方法であって、
前記リモコン装置の操作ボタンの一部又は全部と、前記機器において利用可能な機能又はサービスの一部又は全部とを前記表示部に表示するステップと、
前記リモコン装置により、前記表示部に表示された１の操作ボタンと１以上の機能又はサービスとを選択させるステップと、
選択された操作ボタンと機能又はサービスとを関連付けるステップと、
を含む方法。
【請求項２１】
リモコン装置により操作可能であり表示部を備えた機器においてリモコン装置の設定を行う方法であって、
前記リモコン装置の操作ボタンの一部又は全部と、前記機器において利用可能な機能又はサービスの一部又は全部とを前記表示部に表示するステップと、
前記表示部において、前記リモコン装置により操作可能なカーソルを表示するステップと、
前記カーソルを用いて、１の機能又はサービスを１の操作ボタン上にドラッグアンドドロップする操作が行われたときに、当該操作ボタンと当該機能又はサービスとを関連付けるステップと
を含む方法。
【請求項２２】
リモコン装置により操作可能であり表示部を備えた機器においてリモコン装置の設定を行う方法であって、
前記リモコン装置の操作ボタンの一部又は全部と、前記機器において利用可能な機能又はサービスの一部又は全部とを前記表示部に表示するステップと、
前記表示部において、前記リモコン装置により操作可能なカーソルを表示するステップと、
前記カーソルを用いて、１の操作ボタンを１の機能又はサービス上にドラッグアンドドロップする操作が行われたときに、当該操作ボタンと当該機能又はサービスとを関連付けるステップと、
を含む方法。
【請求項２３】
リモコン装置により操作可能であり表示部を備えた機器においてリモコン装置の設定を行う方法であって、
前記リモコン装置の操作ボタンの一部又は全部と、前記各操作ボタンに付随する表示領域と、前記機器において利用可能な機能又はサービスの一部又は全部とを前記表示部に表示するステップと、
前記表示部において、前記リモコン装置により操作可能なカーソルを表示するステップと、
前記カーソルを用いて、１の操作ボタンを１の機能又はサービス上にドラッグアンドドロップする操作が行われたときに、当該操作ボタンと当該機能又はサービスとを関連付けるステップと、
操作ボタンと機能又はサービスとが関連付けられると、当該操作ボタンに付随する表示領域に当該機能又はサービスを表示するステップと、
を含む方法。
【請求項２４】
リモコン装置により操作可能であり表示部を備えた機器においてリモコン装置の設定を行うためのプログラムであって、
前記リモコン装置の操作ボタンの一部又は全部と、前記機器において利用可能な機能又はサービスの一部又は全部とを前記表示部に表示するステップと、
前記リモコン装置により、前記表示部に表示された１の操作ボタンと１以上の機能又はサービスとを選択させるステップと、
選択された操作ボタンと機能又はサービスとを関連付けるステップと、
を含むプログラム。
【請求項２５】
リモコン装置により操作可能であり表示部を備えた機器においてリモコン装置の設定を行うためのプログラムであって、
前記リモコン装置の操作ボタンの一部又は全部と、前記機器において利用可能な機能又はサービスの一部又は全部とを前記表示部に表示するステップと、
前記表示部において、前記リモコン装置により操作可能なカーソルを表示するステップと、
前記カーソルを用いて、１の機能又はサービスを１の操作ボタン上にドラッグアンドドロップする操作が行われたときに、当該操作ボタンと当該機能又はサービスとを関連付けるステップと
を含むプログラム。
【請求項２６】
リモコン装置により操作可能であり表示部を備えた機器においてリモコン装置の設定を行うためのプログラムであって、
前記リモコン装置の操作ボタンの一部又は全部と、前記機器において利用可能な機能又はサービスの一部又は全部とを前記表示部に表示するステップと、
前記表示部において、前記リモコン装置により操作可能なカーソルを表示するステップと、
前記カーソルを用いて、１の操作ボタンを１の機能又はサービス上にドラッグアンドドロップする操作が行われたときに、当該操作ボタンと当該機能又はサービスとを関連付けるステップと、
を含むプログラム。
【請求項２７】
リモコン装置により操作可能であり表示部を備えた機器においてリモコン装置の設定を行うためのプログラムであって、
前記リモコン装置の操作ボタンの一部又は全部と、前記各操作ボタンに付随する表示領域と、前記機器において利用可能な機能又はサービスの一部又は全部とを前記表示部に表示するステップと、
前記表示部において、前記リモコン装置により操作可能なカーソルを表示するステップと、
前記カーソルを用いて、１の操作ボタンを１の機能又はサービス上にドラッグアンドドロップする操作が行われたときに、当該操作ボタンと当該機能又はサービスとを関連付けるステップと、
操作ボタンと機能又はサービスとが関連付けられると、当該操作ボタンに付随する表示領域に当該機能又はサービスを表示するステップと、
を含むプログラム。
【発明の詳細な説明】
【技術分野】
【０００１】
本発明は、電気機器や電子機器を遠隔操作するためのリモートコントローラ（以下、「リモコン」と略称する）システムに関し、特に、操作対象機器の表示装置において、リモコン装置による操作に応じた表示を行うことにより、ユーザが視覚的にリモコン操作を行うのを可能にするリモコンシステム、リモコン装置及び表示装置に関するものである。
【背景技術】
【０００２】
昨今では、あらゆる電気機器や電子機器にリモコン装置が付属しており、ユーザは室内の離れた場所からこれらの機器をリモコン操作することができるようになっている。例えば、ビデオデッキ、テレビ、ＤＶＤプレイヤーなどの映像機器、ＣＤプレイヤーやＭＤプレイヤーなどの音響機器、エアコンなどの空調機器には、リモコン装置が付属しているのが一般的である。
【０００３】
リモコン装置は、複数の操作ボタン又は操作パネルを備えており、赤外線などの光通信により操作対象機器に対して制御信号を送信するものが主流である。
【０００４】
ところで、近年、特に映像・音声機器においては多機能化及びサービスの多様化が急速に進んでいる。映像機器に関しては、ＢＳ／ＣＳ衛星デジタル放送やＣＡＴＶの普及により多チャンネル化が進んでおり、さらに今後は、地上デジタル放送サービスが本格的に開始され、インターネット経由のブロードバンド放送なども普及するため、多チャンネル化の傾向が続くものと考えられる。また、放送以外にも、ビデオデッキやＤＶＤプレイヤー、ハードディスクレコーダなどの再生映像が視聴されるため、映像機器の多サービス化も進むものと考えられる。
【０００５】
このため、操作の種類やチャンネル数が増大するのに応じて、リモコン装置の操作ボタン数も増大し、操作方法も複雑なものとなってきている。リモコン装置表面の限られたスペースに多種多様な操作ボタンが配列されており、ユーザにとってはリモコン操作が非常に煩わしく難解なものとなっているのが現状である。
【０００６】
また、家庭用・業務用の電気機器や電子機器においても、ユーザの多様なニーズに応えるべく、マイコン制御などにより多様な機能、操作モードが搭載されているが、ユーザは機器表面の操作パネルや付属のリモコン装置により多数の操作メニューから所望の操作を選択して実行しなければならず、多機能化の反面で操作が煩雑化しているという問題点があった。
【０００７】
一方で、電気機器や電子機器には、製品ごと及びメーカごとに異なるリモコン装置が付属しているのが一般的である。このため、多数の電気機器及び電子機器を所有するユーザは、それぞれ操作対象、操作方法、操作ボタン配置が異なる多数のリモコンを扱わなければならないこととなり、不便である。
【０００８】
このような問題に対処するために、複数メーカの機器に対応できる汎用リモコン装置が市販されている。これにより、例えば、ユーザが複数メーカのテレビを所有していても、汎用リモコン装置が１つあればよいこととなる。
【０００９】
汎用リモコン装置は、メーカによるリモコン操作方法や機能の違いに対応するために、操作対象機器の機種ごとに設定モードを変更して操作することができるようになっているのが一般的である。また、設定情報を記憶するメモリを備えており、各操作ボタンに特定の機能を記憶させたり、予めメーカ設定（特定機種の操作及び機能の設定情報）を記憶しておいたりすることで、ユーザの利便性を図っているものもある。
【００１０】
しかしながら、多数のメーカ及び機種ごとに、リモコンの操作方法やその設定モードを変更したり、予め記憶してある設定情報を呼び出したりするのは、ユーザにとって非常に煩わしい作業であり、混乱をきたす場合もある。
【００１１】
そこで、特許文献１に記載のテレビジョン受像機では、画面上にリモコン装置の操作ボタンの配列を示す画像をＯＳＤ（Ｏｎ Ｓｃｒｅｅｎ Ｄｉｓｐｌａｙ）表示し、リモコン操作の受信に応じて、操作ボタン配列を示す画像の当該操作ボタンに対応する部分の表示状態を変化させることにより、ユーザが画面を見ながら視覚的にリモコン操作を行うことを可能にする技術が提案されている。
【００１２】
また、特許文献２に記載の遠隔制御システムでは、大型画面を有するモニタにＶＴＲやＤＶＤ装置などの映像機器を接続した場合において、モニタ画面にリモコンキーを表示し、このリモコンキーに対して操作をすると、相応のリモコンコードが読み出され、モニタに接続された映像機器に送信されるようにすることで、モニタを介して映像機器をリモコン操作することを可能にする技術が提案されている。これにより、ユーザにとっては、大型モニタの側方に置かれた映像機器に直接リモコン操作をするよりも、リモコン操作を行いやすくなる。
【特許文献１】特開２００２−３３０３０７号公報（図４参照）
【特許文献２】特開２００２−１９１０８１号公報（図２参照）
【発明の開示】
【発明が解決しようとする課題】
【００１３】
特許文献１及び２において提案されている技術では、モニタ画面上にリモコン装置と同様の画像を表示したことで、ユーザがリモコン装置自体を見なくともモニタ画面を見ながらリモコン操作を行えるので、リモコンの操作性が向上されている。
【００１４】
しかしながら、これらの技術をもってしても、上記した、映像機器の多機能化、多チャンネル化に伴うリモコン装置の操作ボタン数の増大、操作方法の複雑化により、ユーザにとってリモコン操作が煩わしく難解なものとなっている現状に対しては、何ら解決手段とならない。
【００１５】
また、現在の多機能化、多チャンネル化に対応したリモコン装置では、ユーザ設定により各操作ボタンに特定のチャンネルを割り当てることができる機能を搭載したものが一般的となっている。図１１は、従来のチャンネル登録画面の表示例である。例えば、テレビの表示部においてこのような登録画面をＯＳＤ表示し、ユーザがリモコン装置を用いて、ボタン番号を指定し、放送チャンネルを選択し、音声モードや映像モードなどの付加的情報を設定するのがチャンネル登録の一般的な操作である。
【００１６】
しかしながら、チャンネル登録の設定や変更をするために、操作ボタン毎にこのような煩雑なチャンネル設定操作をする必要があるため、ユーザにとって非常に煩わしいものとなっている。特に、多種多様な放送チャンネルやデータ源泉から好みの視聴対象を選択し、各操作ボタンに割り当てる操作は極めて煩わしいものとなる。
【００１７】
同様に、他の電気機器や電子機器においても、機能が多様化するほど、ユーザがそれらの機能を利用するためのリモコン操作が一層煩雑なものとなってしまう。上記した例と同様に、よく使用する機能をリモコン装置の操作ボタンに登録することも考えられるが、やはり多数の機能の中から選択してリモコン装置の操作ボタンに割り当てる登録操作は、ユーザにとって煩わしいものである。
【００１８】
本発明は、このような実情に鑑みてなされたものであり、操作対象機器の表示装置においてリモコン画像を表示するリモコンシステムにおいて、ユーザが簡易な方法でかつ視覚的にリモコン操作を行うことができるリモコン装置及び表示装置を提供しようとするものである。
【課題を解決するための手段】
【００１９】
上記解決課題に鑑みて鋭意研究の結果、本発明者は、操作対象機器の表示装置においてリモコンの操作ボタンを模した画像と、操作対象機器において利用可能なチャンネル又は機能の一覧とを表示し、ユーザがこれらの表示を見ながら、リモコン装置を用いて視覚的な操作を行うことにより、リモコン画像の特定の操作ボタンに特定のチャンネル、機能又はサービスを割り当てる操作を行うことができるようにする技術に想到した。
【００２０】
すなわち、本発明は、表示部を備えた機器と、前記機器を遠隔操作するリモコン装置とを含んだリモコンシステムであって、前記表示部において、前記リモコン装置の操作ボタンの一部又は全部と、前記機器において利用可能な機能又はサービスの一部又は全部とを表示する第１の手段と、前記リモコン装置により、前記表示部に表示された１の操作ボタンと１以上の機能又はサービスとを関連付ける操作を行わせる第２の手段と、を有するリモコンシステムを提供するものである。
【００２１】
本発明のリモコンシステムにおいて、前記第２の手段は、前記リモコン装置により、前記表示部において、１の操作ボタンを選択した後、１以上の機能又はサービスを選択する操作が行われたときに、選択された操作ボタンと機能又はサービスとを関連付けることを特徴とする。
【００２２】
あるいは、前記第２の手段は、前記リモコン装置により、前記表示部において、１以上の機能又はサービスを選択した後、１の操作ボタンを選択する操作が行われたときに、選択された操作ボタンと機能又はサービスとを関連付けることを特徴とする。
【００２３】
これにより、ユーザは簡単な操作でリモコンの操作ボタンに機能又はサービスを登録することができる。
【００２４】
本発明のリモコンシステムにおいて、前記機器は、前記表示部において、前記リモコン装置により操作可能なカーソルを表示する手段をさらに有しており、前記第２の手段は、前記リモコン装置により前記表示部上のカーソルを操作して、１の機能又はサービスを１の操作ボタン上にドラッグアンドドロップする操作が行われたときに、当該操作ボタンと当該機能又はサービスとを関連付けることを特徴とする。
【００２５】
あるいは、前記機器は、前記表示部において、前記リモコン装置により操作可能なカーソルを表示する手段をさらに有しており、前記第２の手段は、前記リモコン装置により前記表示部上のカーソルを操作して、１の操作ボタンを１の機能又はサービス上にドラッグアンドドロップする操作が行われたときに、当該操作ボタンと当該機能又はサービスとを関連付けることを特徴とする。
【００２６】
ドラッグアンドドロップは、パーソナルコンピュータ等の操作において慣用されている視覚的で分かりやすい操作であり、ユーザはリモコン装置を用いて極めて視覚的かつ簡単にリモコンの操作ボタンに機能又はサービスを登録することができる。
【００２７】
本発明のリモコンシステムにおいて、前記第１の手段は、前記各操作ボタンに表示領域を付随させて表示し、前記第２の手段により、操作ボタンと機能又はサービスとが関連付けられると、当該操作ボタンに付随する表示領域に当該機能又はサービスを表示することを特徴とする。
【００２８】
また、前記第１の手段は、前記表示部において、前記機能又はサービスそれぞれの名称、あるいは前記機能又はサービスそれぞれを示す画像を表示することを特徴とする。
【００２９】
これにより、ユーザは、リモコンの各操作ボタンの現在の登録状態をすぐに確認することができる。
【００３０】
本発明のリモコンシステムにおいて、前記機器はテレビジョン受像機であり、前記第１の手段は、前記表示部において、前記リモコン装置の操作ボタンの一部又は全部と、前記テレビジョン受像機において利用可能な機能又は視聴可能な放送チャンネルの一部又は全部とを表示することを特徴とする。
【００３１】
これにより、特に近年のテレビジョン受像機の多チューナ化、多機能化、及びそのリモコン装置の多ボタン化を考えると、本発明のリモコンシステムのテレビジョン受像機における利用価値は非常に高い。
【００３２】
本発明のリモコンシステムにおいて、前記第１の手段は、前記テレビジョン受像機の表示部においてＯＳＤ表示をすることを特徴とする。
【００３３】
本発明のリモコンシステムにおいて、前記第１の手段は、前記表示部において、前記テレビジョン受像機において視聴可能な映像・音声コンテンツをさらに表示することを特徴とする。
【００３４】
今後のテレビジョン受像機は、従来の地上波放送局、衛星放送局、有線放送局などのほかにも、多数のデータ源泉、例えば、ＶＣＲ装置、ＤＶＤ装置、ＭＤプレイヤー、ハードディスクレコーダ、パーソナルコンピュータ、ＬＡＮ、インターネットなどから映像・音声コンテンツを取得して視聴する利用形態が一般的となるが、本発明はこれら全ての利用形態に適用可能である。
【００３５】
本発明は、また、上記したリモコンシステムにおいて用いるリモコン装置を提供するものである。
【００３６】
本発明は、また、リモコン装置及び該リモコン装置の操作対象機器と通信可能な表示装置であって、前記リモコン装置の操作ボタンの一部又は全部と、前記操作対象機器において利用可能な機能又はサービスの一部又は全部とを表示する表示部と、前記リモコン装置により、前記表示部に表示された１の操作ボタンと１以上の機能又はサービスとを関連付ける操作を行わせる登録手段と、備えた表示装置を提供するものである。
【００３７】
このように、登録画面の表示部及び登録操作を行う機能部は、リモコン装置の操作対象機器とは独立に構成することもできる。
【００３８】
本発明の表示装置において、前記登録手段は、前記リモコン装置により、前記表示部において、１の操作ボタンを選択した後、１以上の機能又はサービスを選択する操作が行われたときに、選択された操作ボタンと機能又はサービスとを関連付けることを特徴とする。
【００３９】
あるいは、前記登録手段は、前記リモコン装置により、前記表示部において、１以上の機能又はサービスを選択した後、１の操作ボタンを選択する操作が行われたときに、選択された操作ボタンと機能又はサービスとを関連付けることを特徴とする。
【００４０】
本発明の表示装置において、前記表示装置は、前記表示部において、前記リモコン装置により操作可能なカーソルを表示する手段をさらに有しており、前記登録手段は、前記リモコン装置により前記表示部上のカーソルを操作して、１の機能又はサービスを１の操作ボタン上にドラッグアンドドロップする操作が行われたときに、当該操作ボタンと当該機能又はサービスとを関連付けることを特徴とする。
【００４１】
本発明の表示装置において、前記表示装置は、前記表示部において、前記リモコン装置により操作可能なカーソルを表示する手段をさらに有しており、前記登録手段は、前記リモコン装置により前記表示部上のカーソルを操作して、１の操作ボタンを１の機能又はサービス上にドラッグアンドドロップする操作が行われたときに、当該操作ボタンと当該機能又はサービスとを関連付けることを特徴とする。
【００４２】
本発明の表示装置において、前記表示部は、前記各操作ボタンに表示領域を付随させて表示し、前記登録手段により、操作ボタンと機能又はサービスとが関連付けられると、当該操作ボタンに付随する表示領域に当該機能又はサービスを表示することを特徴とする。
【００４３】
本発明の表示装置において、前記表示部は、前記機能又はサービスそれぞれの名称、あるいは前記機能又はサービスそれぞれを示す画像を表示することを特徴とする。
【００４４】
また、本発明の前記表示装置は、テレビジョン受像機であり、前記表示部は、前記リモコン装置の操作ボタンの一部又は全部と、前記テレビジョン受像機において利用可能な機能又は視聴可能な放送チャンネルの一部又は全部とを表示することを特徴とする。
【００４５】
本発明は、また、リモコン装置により操作可能であり表示部を備えた機器においてリモコン装置の設定を行う方法であって、前記リモコン装置の操作ボタンの一部又は全部と、前記機器において利用可能な機能又はサービスの一部又は全部とを前記表示部に表示するステップと、前記リモコン装置により、前記表示部に表示された１の操作ボタンと１以上の機能又はサービスとを選択させるステップと、選択された操作ボタンと機能又はサービスとを関連付けるステップと、を含む方法を提供するものである。
【００４６】
本発明は、また、リモコン装置により操作可能であり表示部を備えた機器においてリモコン装置の設定を行う方法であって、前記リモコン装置の操作ボタンの一部又は全部と、前記機器において利用可能な機能又はサービスの一部又は全部とを前記表示部に表示するステップと、前記表示部において、前記リモコン装置により操作可能なカーソルを表示するステップと、前記カーソルを用いて、１の機能又はサービスを１の操作ボタン上にドラッグアンドドロップする操作が行われたときに、当該操作ボタンと当該機能又はサービスとを関連付けるステップとを含む方法を提供するものである。
【００４７】
本発明は、また、リモコン装置により操作可能であり表示部を備えた機器においてリモコン装置の設定を行う方法であって、前記リモコン装置の操作ボタンの一部又は全部と、前記機器において利用可能な機能又はサービスの一部又は全部とを前記表示部に表示するステップと、前記表示部において、前記リモコン装置により操作可能なカーソルを表示するステップと、前記カーソルを用いて、１の操作ボタンを１の機能又はサービス上にドラッグアンドドロップする操作が行われたときに、当該操作ボタンと当該機能又はサービスとを関連付けるステップと、を含む方法を提供するものである。
【００４８】
本発明は、また、リモコン装置により操作可能であり表示部を備えた機器においてリモコン装置の設定を行う方法であって、前記リモコン装置の操作ボタンの一部又は全部と、前記各操作ボタンに付随する表示領域と、前記機器において利用可能な機能又はサービスの一部又は全部とを前記表示部に表示するステップと、前記表示部において、前記リモコン装置により操作可能なカーソルを表示するステップと、前記カーソルを用いて、１の操作ボタンを１の機能又はサービス上にドラッグアンドドロップする操作が行われたときに、当該操作ボタンと当該機能又はサービスとを関連付けるステップと、操作ボタンと機能又はサービスとが関連付けられると、当該操作ボタンに付随する表示領域に当該機能又はサービスを表示するステップと、を含む方法を提供するものである。
【００４９】
本発明は、また、リモコン装置により操作可能であり表示部を備えた機器においてリモコン装置の設定を行うためのプログラムであって、前記リモコン装置の操作ボタンの一部又は全部と、前記機器において利用可能な機能又はサービスの一部又は全部とを前記表示部に表示するステップと、前記リモコン装置により、前記表示部に表示された１の操作ボタンと１以上の機能又はサービスとを選択させるステップと、選択された操作ボタンと機能又はサービスとを関連付けるステップと、を含むプログラムを提供するものである。
【００５０】
本発明は、また、リモコン装置により操作可能であり表示部を備えた機器においてリモコン装置の設定を行うためのプログラムであって、前記リモコン装置の操作ボタンの一部又は全部と、前記機器において利用可能な機能又はサービスの一部又は全部とを前記表示部に表示するステップと、前記表示部において、前記リモコン装置により操作可能なカーソルを表示するステップと、前記カーソルを用いて、１の機能又はサービスを１の操作ボタン上にドラッグアンドドロップする操作が行われたときに、当該操作ボタンと当該機能又はサービスとを関連付けるステップとを含むプログラムを提供するものである。
【００５１】
本発明は、また、リモコン装置により操作可能であり表示部を備えた機器においてリモコン装置の設定を行うためのプログラムであって、前記リモコン装置の操作ボタンの一部又は全部と、前記機器において利用可能な機能又はサービスの一部又は全部とを前記表示部に表示するステップと、前記表示部において、前記リモコン装置により操作可能なカーソルを表示するステップと、前記カーソルを用いて、１の操作ボタンを１の機能又はサービス上にドラッグアンドドロップする操作が行われたときに、当該操作ボタンと当該機能又はサービスとを関連付けるステップと、を含むプログラムを提供するものである。
【００５２】
本発明は、また、リモコン装置により操作可能であり表示部を備えた機器においてリモコン装置の設定を行うためのプログラムであって、前記リモコン装置の操作ボタンの一部又は全部と、前記各操作ボタンに付随する表示領域と、前記機器において利用可能な機能又はサービスの一部又は全部とを前記表示部に表示するステップと、前記表示部において、前記リモコン装置により操作可能なカーソルを表示するステップと、前記カーソルを用いて、１の操作ボタンを１の機能又はサービス上にドラッグアンドドロップする操作が行われたときに、当該操作ボタンと当該機能又はサービスとを関連付けるステップと、操作ボタンと機能又はサービスとが関連付けられると、当該操作ボタンに付随する表示領域に当該機能又はサービスを表示するステップと、を含むプログラムを提供するものである。
【発明の効果】
【００５３】
以上、説明したように、本発明のリモコンシステム、リモコン装置及び表示装置によれば、ユーザは、表示装置の画面を見ながら簡易かつ視覚的な方法でリモコン装置を操作して、好みの視聴対象を選択し、各操作ボタンに割り当てるチャンネル登録操作を行うことができる。
【発明を実施するための最良の形態】
【００５４】
以下、添付図面を参照しながら、本発明のリモコンシステム、リモコン装置及び表示装置を実施するための最良の形態を詳細に説明する。尚、図１〜図１０は、本発明の実施の形態を例示する図であり、これらの図において、同一の符号を付した部分は同一物を表わし、基本的な構成及び動作は同様であるものとする。
【００５５】
[第１実施形態]
以下、本発明のリモコンシステム、リモコン装置及び表示装置の第１実施形態について説明する。本実施形態は、多チャンネル、多チューナに対応する機能を備えたテレビと、これに対して操作を行うためのリモコン装置とから構成されるものである。
【００５６】
図１は、本実施形態のリモコン装置の内部構成を概略的に示す機能ブロック図である。
図１において、本実施形態のリモコン装置１０は、制御部１１と、ＲＯＭ（読み出し専用メモリ）１２と、ＲＡＭ（ランダムアクセスメモリ）１３と、ボタン操作入力部１４と、ＬＣＤ（液晶ディスプレイ）１５と、無線通信部１６とを備えている。
【００５７】
制御部１１は、ＣＰＵやＭＰＵなどから構成される制御演算処理装置であり、本リモコン装置１０の各構成部分の動作並びに各構成部分間のデータ通信を制御する。
【００５８】
ＲＯＭ１２は、読出し専用の半導体メモリ素子などから構成され、制御部１１の動作用プログラムや、制御データ等の固定データなどを記憶している。
【００５９】
ＲＡＭ１３は、書き換え可能な半導体メモリ素子などから構成される。特に、ＥＰＲＯＭ（Erasable Programmable ROM）やＥＥＰＲＯＭ（Electrically Erasable Programmable ROM）などの書き換え可能な不揮発性メモリを用いるのが好ましい。ＲＡＭ１３は、本リモコン装置１０の動作に用いる各種データや制御用プログラム、ユーザの設定情報などを記憶している。
【００６０】
したがって、制御部１１は、ＲＯＭ１２に記憶された動作用プログラムに従い、ＲＡＭ１３をワーキングメモリとして使用して、本リモコン装置１０において必要な制御、演算及びデータ送受信の処理を実行することができる。
【００６１】
ボタン操作入力部１４は、本リモコン装置１０表面に設けられた操作ボタンの押下げによる入力を受け付ける処理部である。ＬＣＤ１５は、本リモコン装置１０表面に設けられ、操作に必要な表示や日時・時刻等を表示したり、ユーザの誤った操作に対する警告を表示したりするものである。
【００６２】
無線通信部１６は、光通信により又は電波の送受信により、操作対象機器であるテレビ２０と無線通信を行うための処理部である。具体的には、赤外線を利用してデータを伝送するＩｒＤＡ（Infrared Data Association）又はＡＳＫや、ＦＭ波やＢｌｕｅｔｏｏｈ等を用いた近距離用無線通信方式を利用することができる。
【００６３】
図２は、図１に示すリモコン装置により操作されるテレビ２０の内部構成を概略的に示す機能ブロック図である。
【００６４】
図２において、このテレビ２０は、制御部２１と、ＲＯＭ２２と、ＲＡＭ２３と、操作入力部２４と、ＯＳＤ表示部２５と、無線通信部２６とを備えている。尚、図には、テレビ２０の内部構成のうちリモコン機能に関連した部分のみを示しており、他の構成部分は省略している。
【００６５】
制御部２１は、ＣＰＵやＭＰＵなどから構成される制御演算処理装置であり、本テレビ２０の各構成部分の動作並びに各構成部分間のデータ通信を制御する。
【００６６】
ＲＯＭ２２は、読出し専用の半導体メモリ素子などから構成され、制御部２１の動作用プログラムや、制御データ等の固定データなどを記憶している。
【００６７】
ＲＡＭ２３は、書き換え可能な半導体メモリ素子などから構成される。特に、ＥＰＲＯＭやＥＥＰＲＯＭなどの書き換え可能な不揮発性メモリを用いるのが好ましい。ＲＡＭ２３は、本テレビ２０の動作に用いる各種データや制御用プログラム、ユーザの設定情報などを記憶している。
【００６８】
操作入力部２４は、本テレビ２０表面に設けられた操作ボタンの押下げによる入力を受け付ける処理部であり、リモコン装置１０と同様の操作を受け付ける。
【００６９】
ＯＳＤ表示部２５は、制御部２１からの命令に従って、本テレビ２０の表示部において表示するためのＯＳＤ表示データを生成する。テレビ２０におけるＯＳＤ表示の具体例については、後述する。
【００７０】
無線通信部２６は、光通信により又は電波の送受信により、リモコン装置１０と無線通信を行うための処理部であり、リモコン装置１０の無線通信部１６と対応した構成となっている。
【００７１】
図３は、本実施形態のリモコン装置１０の外観を示す図である。
図３において、リモコン装置１０は、ＬＣＤ１５の表示画面１５ａ及び無線通信部１６の発信部１６ａを備えている。発信部１６ａは、例えば、光通信の場合には赤外線を発光するＬＥＤ（Light Emitting Diode）、電波を利用する場合には無線アンテナにより構成することができる。
【００７２】
また、リモコン装置１０は、操作ボタンとして、複数のチャンネル選択ボタン３１、カーソルボタン３２、決定ボタン３３、チャンネル登録ボタン３４、終了ボタン３５のほか、一般的なリモコン操作用ボタン（音量アップ／ダウンボタン、チャンネルアップ／ダウンボタン、電源ボタン、入力切替ボタンなど）を備えている。
【００７３】
チャンネル選択ボタン３１は、通常はチャンネル番号に対応する数字が割り当てられており、デフォルトでは各ボタンを押すと対応するチャンネル番号の放送局を選局するように設定されているが、本実施形態では後述するようにユーザがチャンネル選択ボタン３１に任意の放送チャンネルを割り当てることができるようになっている。
【００７４】
カーソルボタン３２は、テレビ２０のＯＳＤ表示においてカーソルを上下左右に移動させるための操作ボタンである。決定ボタン３３は、テレビ２０のＯＳＤ表示においてアイテムの選択や決定を行うほか、後述するドラッグアンドドロップ操作を行うための操作ボタンである。
【００７５】
チャンネル登録ボタン３４は、テレビ２０のＯＳＤ表示においてチャンネル登録の操作を行うためのものであり、終了ボタン３５はチャンネル登録を終了するためのものである。これらの操作ボタンについても後述する。
【００７６】
次に、本実施形態のリモコン装置１０によりテレビ２０に対してユーザがチャンネル登録の操作をする方法について説明する。
【００７７】
図４は、チャンネル登録の操作を行う際のリモコン装置１０及びテレビ２０における処理の流れを示すシーケンス図である。図に示す処理は、リモコン装置１０及びテレビ２０のＲＯＭ１２及び２２にそれぞれプログラムとして格納されており、制御部１１及び２１がそれぞれ行うものである。
【００７８】
図４において、ユーザがリモコン装置１０のチャンネル登録ボタン３４を押してチャンネル登録モードを立ち上げると、リモコン装置１０は無線通信部１６を通じてチャンネル登録モードの開始をテレビ２０に通知する（ステップＡ４１）。この通知を受けたテレビ２０は、ＯＳＤ表示部２５により表示画面にチャンネル登録画面を表示する（ステップＢ４１）。
【００７９】
尚、以降においてユーザがリモコン装置１０の各種操作ボタンを押すと、チャンネル登録に関係する操作であれば、適宜、操作内容が無線通信部１６を通じてテレビ２０に送信されるものとする。
【００８０】
図５は、テレビ２０の表示画面におけるチャンネル登録画面の表示例を示す模式図である。図５において、チャンネル登録画面の左側には、リモコン装置１０のチャンネル選択ボタン３１が模式的に表示されており、各ボタンの下部にはそのボタンに割り当てた放送チャンネルを表示する表示領域が存在する。尚、チャンネル登録画面に表示されるリモコン装置１０のチャンネル選択ボタン３１の情報は、テレビ２０のＲＯＭ２２又はＲＡＭ２３に予め記憶してあるものとする。あるいは、無線通信機能を通じて、テレビ２０はいつでもリモコン装置１０からチャンネル選択ボタン３１を表示するための情報を取得できるようにしておくのが好ましい。
【００８１】
チャンネル登録画面の右側には、テレビ２０において現在利用可能な各放送サービスが表示されるようになっている。図５に示す例では、現在、地上アナログ放送、地上デジタル放送、ＢＳデジタル放送及び２つのＣＳ放送サービスが利用可能であるところ、ＢＳデジタル放送が選択されており、ＢＳデジタル放送サービスとして提供されるテレビ放送、ラジオ放送及びデータ放送の各チャンネルがその放送局のロゴ画像とともに表示されている。尚、ロゴ画像データはＥＰＧデータなどから取得されるものとする。
【００８２】
テレビ２０の表示画面において図５のチャンネル登録画面が表示されると、まず、左側のチャンネル選択ボタンを模式的に表示した部分に対して操作が可能となる。すなわち、ユーザは、リモコン装置１０のカーソルボタン３２及び決定ボタン３３を用いて、チャンネル登録画面上に表示されたチャンネル選択ボタンのうち、チャンネル登録を行おうとするボタンを１つ選択することができる（ステップＡ４２）。尚、チャンネル登録画面上に表示されたチャンネル選択ボタンの選択は、カーソルボタン３２によるほかにも、リモコン装置１０上の当該チャンネル選択ボタンを押した後、決定ボタン３３を押すことによっても行うことができる。
【００８３】
ユーザがチャンネル登録画面上に表示されたチャンネル選択ボタンを選択すると、テレビ２０はチャンネル登録画面において選択されたチャンネル選択ボタンを強調表示する（ステップＢ４２）。例えば、当該チャンネル選択ボタンを着色して表示したり点滅表示したりすればよい。
【００８４】
続いて、テレビ２０のチャンネル登録画面では、右側に表示されている現在利用可能な各放送サービスの中から、上記で選択したチャンネル選択ボタンに割り当てる放送チャンネルを選択する操作が可能となる。すなわち、ユーザは、リモコン装置１０のカーソルボタン３２及び決定ボタン３３を用いて、地上アナログ放送、地上デジタル放送、ＢＳデジタル放送及びＣＳ放送１，２の中から所望の放送サービスを選択した後、そのサービスに含まれる放送チャンネル（テレビ放送、ラジオ放送及びデータ放送）の中から所望の１チャンネルを選択することができる（ステップＡ４３）。
【００８５】
ユーザがチャンネル登録画面上に表示された放送チャンネルを選択すると、テレビ２０は、上記で選択されたチャンネル選択ボタンの下部の表示領域に当該放送チャンネルを表示する（ステップＢ４３）。このとき、放送チャンネルの表示は、“ＢＳ１０１”などのチャンネル番号を用いてもよいし、当該放送チャンネルのロゴを用いてもよい。また、このときテレビ２０は、チャンネル選択ボタン及びそれに割り当てられた放送チャンネルの情報をＲＡＭ２３に一時的に記憶しておくものとする。
【００８６】
以上にてチャンネル選択ボタンに放送チャンネルが割り当てられたこととなるが、ユーザは、続けて他のチャンネル選択ボタンに放送チャンネルを割り当てることもできる（ステップＡ４４）。
【００８７】
図６及び図７は、上記のようにして各チャンネル選択ボタンに放送チャンネルが割り当てた時の表示画面の表示例を示す図である。図６の例では、各チャンネル選択ボタンの下部の表示領域に、割り当てられた放送チャンネル番号を表示しており、図７の例では、各チャンネル選択ボタンの下部の表示領域に、割り当てられた放送チャンネルのロゴ画像を表示している。このような表示を行うことにより、ユーザは現在のチャンネル登録状態を視覚的、直感的に把握することができる。
【００８８】
ユーザは、チャンネル選択ボタンへの放送チャンネルの割り当てを終えると、リモコン装置１０によりチャンネル登録内容の確定操作を行う（ステップＡ４５）。チャンネル登録内容の確定操作は、例えば、チャンネル登録画面に示す“登録”のキーを選択することにより行うこともできるし、あるいは、リモコン装置１０のチャンネル登録ボタン３４又は終了ボタン３５を押すことにより、テレビ２０が表示画面においてユーザにチャンネル登録の設定完了を確認するダイアログを表示するようにしてもよい。
【００８９】
ユーザがチャンネル登録の確定操作を行うと、リモコン装置１０はチャンネル登録確定のコマンドをテレビ２０に送信する（ステップＡ４６）。チャンネル登録確定のコマンドを受信したテレビ２０は、先にステップＢ４３においてＲＡＭ２３に一時記憶しておいたチャンネル選択ボタンと放送チャンネルの割り当て情報を、チャンネル登録情報として記憶する（ステップＢ４４）。
【００９０】
また、図示しないが、ステップＡ４５においてユーザがチャンネル登録をキャンセルした場合には、リモコン装置１０はチャンネル登録キャンセルのコマンドをテレビ２０に送信するのが好ましい。チャンネル登録のキャンセルは、チャンネル登録画面に示す“削除”のキーを選択することや、図示しないリモコン装置１０上キャンセルボタンを押したりすることにより行うことができる。あるいは、ステップＡ４５においてユーザが一定時間チャンネル登録確定の操作を行わない場合には、自動的にキャンセルされるようにしてもよい。
【００９１】
以上のようにしてチャンネル登録を行っておけば、以降ユーザは、リモコン装置１０において、予め放送チャンネルを割り当ててあるチャンネル選択ボタンを押せば、その放送チャンネルをすぐに視聴することができることとなる。
【００９２】
尚、上記ステップＢ４４においては、テレビ２０のＲＡＭ２３においてチャンネル登録情報を記憶することとしたが、チャンネル登録情報をリモコン装置１０に無線送信し、リモコン装置１０のＲＡＭ１３に記憶するようにしてもよい。
【００９３】
また、上記では、チャンネル登録の操作において、設定対象のチャンネル選択ボタンを選択した後に、そのチャンネル選択ボタンに割り当てる放送チャンネルを選択することとしているが、これとは逆に、まず設定対象の放送チャンネルを選択し、後にその放送チャンネルを割り当てるチャンネル選択ボタンを選択するような操作方法を採用することもできる。
【００９４】
また、本実施形態の応用例として、テレビにおいて現在視聴可能な放送チャンネルを表示し登録させるチャンネル登録画面に代えて、テレビにおいて利用可能な機能の一覧を表示し、上記同様の操作により、リモコン装置の操作ボタンに登録する機能登録画面を表示する形態も実現可能である。この場合、テレビにおいて利用可能な機能とは、例えば、消音、主副音声切り替え、電源ＯＦＦタイマー、録画予約などの機能である。
【００９５】
ところで、図２においては、テレビ２０の内部構成のうち、本実施形態のリモコンシステムに関する部分のみを表示しているが、例えば、図２に示した構成部分のみを操作対象であるテレビと切り離し、独立したリモコン操作表示装置とすることもできる。この場合には、リモコン操作表示装置と操作対象であるテレビとは有線又は無線の通信手段を備え、チャンネル登録画面の表示や、チャンネル登録情報の記憶に必要なデータを送受信できるようにすればよい。
【００９６】
以上説明した本実施形態のリモコンシステム、リモコン装置及び表示装置によれば、ユーザは、リモコン装置のカーソルボタン、決定ボタン等の少数のボタンを用いて、好みの放送チャンネル等をリモコン装置のチャンネル選択ボタンに割り当てるチャンネル登録操作を、チャンネル登録画面上で、簡易かつ視覚的な方法で行うことができる。
【００９７】
[第２実施形態]
以下、本発明のリモコンシステム、リモコン装置及び表示装置の第２実施形態について説明する。本実施形態は、第１実施形態と同様に構成されたリモコン装置及びテレビから構成されるものである。
【００９８】
本実施形態では、第１実施形態とは異なったチャンネル登録の操作方法及びチャンネル登録画面の表示方法を採用しているので、以下、これについて説明する。
【００９９】
図８は、本実施形態において、テレビの表示画面におけるチャンネル登録画面の表示例、及びチャンネル登録の操作方法を示す模式図である。尚、チャンネル登録画面の各表示については、図５に示すものと同様である。
【０１００】
図８に示すように、本実施形態では、ユーザがリモコン装置のカーソルボタン及び決定ボタンを用いて、チャンネル登録画面上で、視聴したい放送チャンネルを選択した状態のまま、その放送チャンネルを割り当てるチャンネル選択ボタン上までカーソルを移動させて、選択を解除する動作、いわゆるドラッグアンドドロップ動作を行うことにより、１つの放送チャンネルを１つのチャンネル選択ボタンに割り当てることができるようになっている。
【０１０１】
リモコン装置のカーソルボタン及び決定ボタンを用いて上記のドラッグアンドドロップ動作を行うには、例えば、特定の放送チャンネル上にカーソルを合わせた後、決定ボタンを押し続けた状態でカーソルを特定のチャンネル選択ボタン上に移動し、決定ボタンの押下げを解除することにより行うことができる。
【０１０２】
あるいは、より簡便な操作方法として、特定の放送チャンネル上にカーソルを合わせて決定ボタンを１度押した後、カーソルを特定のチャンネル選択ボタン上に移動して再び決定ボタンを１度押すことにより、ドラッグアンドドロップ動作が行われたと判定するようにしてもよい。
【０１０３】
図９は、本実施形態においてチャンネル登録の操作を行う際のリモコン装置及びテレビにおける処理の流れを示すシーケンス図である。図中、ステップＡ９２、Ａ９３、Ｂ９２及びＢ９３以外のステップについては、図４に示したものと同様の処理が行われるものであるから、ここでは説明を省略する。
【０１０４】
ステップＡ９２において、ユーザがリモコン装置のカーソルボタン及び選択ボタンにより、チャンネル登録画面上で特定の放送チャンネルを選択してドラッグ動作を開始すると、テレビではチャンネル登録画面において当該放送チャンネルを強調表示する処理を行う（ステップＢ９２）。また、ドラッグ動作中は、当該放送チャンネルのチャンネル番号又はロゴ画像をカーソルに付随させて表示するのが好ましい。
【０１０５】
その後、チャンネル登録画面において、特定のチャンネル選択ボタン上でドロップ動作が行われると（ステップＡ９３）、テレビではチャンネル登録画面において当該チャンネル選択ボタンの下部の表示領域に、上記で選択された放送チャンネルのチャンネル番号又はロゴ画像を表示する（ステップＢ９３）。
【０１０６】
以上にてチャンネル選択ボタンに放送チャンネルが割り当てられたこととなるが、ユーザは、続けて他のチャンネル選択ボタンに放送チャンネルを割り当てることもできる（ステップＡ４４）。
【０１０７】
尚、上記では、チャンネル登録の操作において、視聴対象の放送チャンネルを選択した後に、設定対象のチャンネル選択ボタン上までドラッグしてドロップすることとしているが、これとは逆に、設定対象のチャンネル選択ボタンを選択した後に、視聴対象の放送チャンネル上までドラッグしてドロップするような操作方法を採用することもできる。
【０１０８】
以上説明した本実施形態のリモコンシステム、リモコン装置及び表示装置によれば、ユーザは、リモコン装置のカーソルボタン、決定ボタン等の少数のボタンを用いて、好みの放送チャンネル等をリモコン装置のチャンネル選択ボタンに割り当てるチャンネル登録操作を、チャンネル登録画面上でドラッグドロップという極めて簡易かつ視覚的な方法で行うことができる。
【０１０９】
[第３実施形態]
以下、本発明のリモコンシステム、リモコン装置及び表示装置の第３実施形態について説明する。本実施形態は、多様な動作モードを選択して実行させることができる電気機器又は電子機器（以下、本実施形態の説明においては、単に「電気機器」と略する）と、これに対して操作を行うためのリモコン装置とから構成されるものである。
【０１１０】
本実施形態において、電気機器はＬＣＤ等からなる表示部を備えており（図２においてＯＳＤ表示部２５に代えてＬＣＤ表示部などを備える構成とすればよい）、この表示部にリモコンを模した画像と、自機器において利用可能な機能又はサービス（以下では、単に「機能」と略称する）の一覧とを含んだ機能登録画面を表示し、ユーザがリモコン装置を用いて、第１実施形態及び第２実施形態に示したチャンネル登録と同様の方法により、特定の機能を特定のリモコンボタンに割り当てる機能登録を行うことができるようになっている。
【０１１１】
以下、実施例として、全自動洗濯機及びこれに用いるリモコン装置について説明する。図１０は、本例の洗濯機の表示画面における機能登録画面の表示例、及び機能登録の操作方法を示す模式図である。ユーザは、この機能登録画面において、第１実施形態及び第２実施形態と同様にリモコン装置を操作して、洗濯機の各機能をリモコン画像の各ボタンに割り当てることができる。図に示す例では、「おまかせ全自動」機能をボタン「８」にドラッグアンドドロップして機能登録をしている。
【０１１２】
尚、本例では、複数の機能を組み合わせて実行させる操作を、１つのボタンに登録することも可能である。この場合は、１つのボタンに対して登録したい機能を全てドラッグアンドドロップすればよい。例えば、「おまかせ全自動」と「節水を」とを組み合わせたり、「洗い」と「手洗い」とを組み合わせたりすることができる。
【０１１３】
また、図１０では、機能登録画面において、洗濯機の各機能の名称を表示しているが、第１実施形態及び第２実施携帯における放送チャンネルのロゴ表示の例に倣って、各機能を示す画像を表示するようにしても、もちろん構わない。
【０１１４】
本実施形態に適用可能な電気機器の例としては、上述の洗濯機の他、エアコン、電子レンジ、冷蔵庫等のいわゆる家電製品、ビデオ、パソコン、ラジオ、ＭＤ／ＣＤプレイヤー、などのＡＶ機器、あるいは業務用の各種電気製品などが挙げられる。
【０１１５】
以上説明した本実施形態のリモコンシステム、リモコン装置及び表示装置によれば、近年急速に多機能化、複雑化している電気機器においても、ユーザが表示部の機能登録画面を見ながらリモコン装置を操作することにより、特定の機能を特定のリモコンボタンに割り当てる機能登録の操作を視覚的に行うことが可能となる。
【０１１６】
以上、本発明のリモコンシステム、リモコン装置及び表示装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【０１１７】
尚、第１及び第２実施形態では、視聴対象としてテレビ放送、ラジオ放送及びデータ放送を例示しているが、本発明は、これらの放送サービスのみならず、ユーザが所有するＶＴＲ装置やＤＶＤ装置などのコンテンツを視聴する使用態様においても同様に実施することができるものである。
【産業上の利用可能性】
【０１１８】
本発明のリモコンシステム、リモコン装置及び表示装置は、表示部を備えリモコンにより遠隔操作が行われるあらゆる電気製品、電子機器において利用可能である。
【図面の簡単な説明】
【０１１９】
【図１】本発明の第１実施形態に含まれるリモコン装置の内部構成を概略的に示す機能ブロック図である。
【図２】図１に示すリモコン装置により操作されるテレビの内部構成を概略的に示す機能ブロック図である。
【図３】リモコン装置の外観を示す図である。
【図４】ユーザがチャンネル登録の操作を行う際のリモコン装置及びテレビにおける処理の流れを示すシーケンス図である。
【図５】本発明の第１実施形態において、テレビの表示画面におけるチャンネル登録画面の表示例を示す模式図である。
【図６】本発明の第１実施形態において、チャンネル選択ボタンに放送チャンネルを割り当てた時の表示画面の表示例を示す図であり、各チャンネル選択ボタンの下部の表示領域に、割り当てられた放送チャンネル番号を表示している。
【図７】本発明の第１実施形態において、チャンネル選択ボタンに放送チャンネルを割り当てた時の表示画面の表示例を示す図であり、各チャンネル選択ボタンの下部の表示領域に、割り当てられた放送チャンネルのロゴ画像を表示している。
【図８】本発明の第２実施形態において、テレビの表示画面におけるチャンネル登録画面の表示例、及びチャンネル登録の操作方法を示す模式図である。
【図９】ユーザがチャンネル登録の操作を行う際のリモコン装置及びテレビにおける処理の流れを示すシーケンス図である。
【図１０】本発明の第３実施形態において、洗濯機の表示画面における機能登録画面の表示例、及び機能登録の操作方法を示す模式図である。
【図１１】従来におけるリモコン装置により各操作ボタンに特定のチャンネルを割り当てるチャンネル登録画面の表示例である。
【符号の説明】
【０１２０】
１０  リモコン装置
１１  制御部
１２  ＲＯＭ
１３  ＲＡＭ
１４  ボタン操作入力部
１５  ＬＣＤ
１５ａ  表示画面
１６  無線通信部
１６ａ  発信部
２０  テレビ
２１  制御部
２２  ＲＯＭ
２３  ＲＡＭ
２４  操作入力部
２５  ＯＳＤ表示部
２６  無線通信部
３１  チャンネル選択ボタン
３２  カーソルボタン
３３  決定ボタン
３４  チャンネル登録ボタン
３５  終了ボタン
【図１】
2005142675.tif 000003
【図２】
2005142675.tif 000004
【図３】
2005142675.tif 000005
【図４】
2005142675.tif 000006
【図５】
2005142675.tif 000007
【図６】
2005142675.tif 000008
【図７】
2005142675.tif 000009
【図８】
2005142675.tif 000010
【図９】
2005142675.tif 000011
【図１０】
2005142675.tif 000012
【図１１】
2005142675.tif 000013